(57)【要約】【課題】  所定のＷｅｂページ及び当該Ｗｅｂページのハイパーリンクによって導かれるリンク先Ｗｅｂページから、オブジェクトを抽出する場合に、リンク先Ｗｅｂページに対応するＷｅｂページ識別子をそれぞれ入力しなくても、オブジェクトを抽出することができること。【解決手段】  処理手段は、受信した表示制御情報からオブジェクト始端識別子及びオブジェクト終端識別子によって挟まれる部分を特定し、抽出部識別子に基づいて、特定した部分からリンク先ＷｅｂページのＷｅｂページ識別子を抽出する（Ｓ２５）。次に、処理手段は、抽出したＷｅｂページ識別子に対応するＷｅｂページの表示制御情報を受信する（Ｓ３０）。さらに、処理手段は、当該表示制御情報からオブジェクト始端識別子及びオブジェクト終端識別子によって挟まれる部分であって、検索条件を満たすものを抽出し記憶手段に格納する（Ｓ３５）。【選択図】  図５
2005149156.tif 000002
【特許請求の範囲】
【請求項１】
情報の記憶手段、情報の入力手段、情報提供システムとの通信手段、及びこれら各手段の動作を制御する処理手段を備えた端末装置に用いられるオブジェクトカッタープログラムであって、
前記記憶手段に、
前記情報提供システムが提供するＷｅｂページの表示制御情報において、オブジェクトの始端を識別するオブジェクト始端識別子と、オブジェクトの終端を識別するオブジェクト終端識別子とを関連付けて予め格納した標準オブジェクトデータベースと、
オブジェクト始端識別子と、オブジェクト終端識別子と、これらの組合せに関連付けられ、かつ、Ｗｅｂページ識別子を抽出する部分を識別する抽出部識別子とを予め格納したＷｅｂページ識別子抽出条件データベースと、
を備えると共に、
前記処理手段に、
ａ）前記入力手段から、前記情報提供システムが提供するＷｅｂページを識別するＷｅｂページ識別子を受付けるステップと、
ｂ）受付けたＷｅｂページ識別子に対応するＷｅｂページの表示制御情報を、前記通信手段を介して前記情報提供システムから受信すると共に、前記記憶手段に格納するステップと、
ｃ）前記記憶手段から前記Ｗｅｂページの表示制御情報を取り出すと共に、Ｗｅｂページ識別子抽出条件データベースを参照して、オブジェクト始端識別子と、オブジェクト終端識別子と、これらの組合せに関連付けられた抽出部識別子とを取り出すステップと、
ｄ）取り出した表示制御情報から、取り出したオブジェクト始端識別子及び前記オブジェクト終端識別子によって挟まれる部分を特定すると共に、取り出した抽出部識別子に基づいて、特定した部分からリンク先ＷｅｂページのＷｅｂページ識別子を抽出するステップと、
ｅ）抽出したＷｅｂページ識別子に対応するＷｅｂページの表示制御情報を、前記通信手段を介して前記情報提供システムから受信すると共に、前記記憶手段に格納するステップと、
ｆ）前記標準オブジェクトデータベースを参照して、オブジェクト始端識別子と、当該オブジェクト始端識別子に関連付けられたオブジェクト終端識別子とを取り出すステップと、
ｇ）前記ｂステップ及び前記ｅステップで格納した表示制御情報から、当該取り出したオブジェクト始端識別子及びオブジェクト終端識別子によって挟まれる部分をオブジェクトとして抽出し前記記憶手段に格納するステップと、
を実行させることを特徴としたオブジェクトカッタープログラム。
【請求項２】
情報の記憶手段、情報の入力手段、情報提供システムとの通信手段、及びこれら各手段の動作を制御する処理手段を備えた端末装置に用いられるオブジェクトカッタープログラムであって、
前記記憶手段に、
前記情報提供システムが提供するＷｅｂページの表示制御情報において、オブジェクトの始端を識別するオブジェクト始端識別子と、オブジェクトの終端を識別するオブジェクト終端識別子とを関連付けて予め格納した標準オブジェクトデータベースと、
オブジェクト始端識別子と、オブジェクト終端識別子と、これらの組合せに関連付けられ、かつ、Ｗｅｂページ識別子を抽出する部分を識別する抽出部識別子とを予め格納したＷｅｂページ識別子抽出条件データベースと、
を備えると共に、
前記処理手段に、
ａ）前記入力手段から、前記情報提供システムが提供するＷｅｂページを識別するＷｅｂページ識別子と、検索条件とを受付けるステップと、
ｂ）受付けたＷｅｂページ識別子に対応するＷｅｂページの表示制御情報を、前記通信手段を介して前記情報提供システムから受信すると共に、前記記憶手段に格納するステップと、
ｃ）前記記憶手段から前記Ｗｅｂページの表示制御情報を取り出すと共に、Ｗｅｂページ識別子抽出条件データベースを参照して、オブジェクト始端識別子と、オブジェクト終端識別子と、これらの組合せに関連付けられた抽出部識別子とを取り出すステップと、
ｄ）取り出した表示制御情報から、取り出したオブジェクト始端識別子及び前記オブジェクト終端識別子によって挟まれる部分を特定すると共に、取り出した抽出部識別子に基づいて、特定した部分からリンク先ＷｅｂページのＷｅｂページ識別子を抽出するステップと、
ｅ）抽出したＷｅｂページ識別子に対応するＷｅｂページの表示制御情報を、前記通信手段を介して前記情報提供システムから受信すると共に、前記記憶手段に格納するステップと、
ｆ）前記標準オブジェクトデータベースを参照して、オブジェクト始端識別子と、当該オブジェクト始端識別子に関連付けられたオブジェクト終端識別子とを取り出すステップと、
ｇ）前記ｂステップ及び前記ｅステップで格納した表示制御情報から、当該取り出したオブジェクト始端識別子及びオブジェクト終端識別子によって挟まれる部分であって、前記受付けた検索条件を満たすものをオブジェクトとして抽出し前記記憶手段に格納するステップと、
を実行させることを特徴としたオブジェクトカッタープログラム。
【発明の詳細な説明】
【技術分野】
【０００１】
本発明は、既存のＷｅｂページからオブジェクトを抽出して再利用する技術に関する。
【背景技術】
【０００２】
従来、既存のＷｅｂページから図、表等のオブジェクトを抽出し、新たなＷｅｂページを作成するＷｅｂ生成装置等の発明が開示されている（例えば、特許文献１参照。）。
【０００３】
当該Ｗｅｂ生成装置は、複数のＷｅｂページからオブジェクトを抽出し、自由なレイアウトで新たなＷｅｂページを作成するＷｅｂページ作成部と、作成されたＷｅｂページの構成情報を格納すると共に、貼り付けられたオブジェクトを更新するリポジトリ管理部と、前記リポジトリ管理部に格納された構成情報とオブジェクトとから実際にＷｅｂページを作成するＷｅｂページ実行部と、を備えることを特徴とする。
【０００４】
これによると、指定した既存のＷｅｂページからオブジェクトを抽出し、当該抽出したオブジェクトを自由なレイアウトで配置した新たなＷｅｂページを作成することができる。
【０００５】
しかしながら、上記従来例において、所定のＷｅｂページ及び当該Ｗｅｂページのハイパーリンクによって導かれるリンク先Ｗｅｂページから、オブジェクトを抽出する場合には、リンク先Ｗｅｂページに対応するＷｅｂページ識別子をそれぞれ入力する必要があった。
【特許文献１】特開平１１−２５００５４号公報
【発明の開示】
【発明が解決しようとする課題】
【０００６】
本発明は、かかる従来例の有する不都合を改善し、所定のＷｅｂページ及び当該Ｗｅｂページのハイパーリンクによって導かれるリンク先Ｗｅｂページから、オブジェクトを抽出する場合に、リンク先Ｗｅｂページに対応するＷｅｂページ識別子をそれぞれ入力しなくても、オブジェクトを抽出することができることを課題とする。
【課題を解決するための手段】
【０００７】
上記課題を解決するため、本発明では次のような構成を採っている。
【０００８】
請求項１記載の発明は、情報の記憶手段、情報の入力手段、情報提供システムとの通信手段、及びこれら各手段の動作を制御する処理手段を備えた端末装置に用いられるオブジェクトカッタープログラムである。記憶手段は、情報提供システムが提供するＷｅｂページの表示制御情報において、オブジェクトの始端を識別するオブジェクト始端識別子と、オブジェクトの終端を識別するオブジェクト終端識別子とを関連付けて予め格納した標準オブジェクトデータベースを備えている。また、記憶手段は、オブジェクト始端識別子と、オブジェクト終端識別子と、これらの組合せに関連付けられ、かつ、Ｗｅｂページ識別子を抽出する部分を識別する抽出部識別子とを予め格納したＷｅｂページ識別子抽出条件データベースを備えている。そして、処理手段は、入力手段から、情報提供システムが提供するＷｅｂページを識別するＷｅｂページ識別子を受付ける。続いて、処理手段は、受付けたＷｅｂページ識別子に対応するＷｅｂページの表示制御情報を、通信手段を介して情報提供システムから受信すると共に、記憶手段に格納する。次に、処理手段は、記憶手段からＷｅｂページの表示制御情報を取り出すと共に、Ｗｅｂページ識別子抽出条件データベースを参照して、オブジェクト始端識別子と、オブジェクト終端識別子と、これらの組合せに関連付けられた抽出部識別子とを取り出す。続いて、処理手段は、取り出した表示制御情報から、取り出したオブジェクト始端識別子及びオブジェクト終端識別子によって挟まれる部分を特定すると共に、取り出した抽出部識別子に基づいて、特定した部分からリンク先ＷｅｂページのＷｅｂページ識別子を抽出する。そして、処理手段は、抽出したＷｅｂページ識別子に対応するＷｅｂページの表示制御情報を、通信手段を介して情報提供システムから受信すると共に、記憶手段に格納する。次に、処理手段は、標準オブジェクトデータベースを参照して、オブジェクト始端識別子と、当該オブジェクト始端識別子に関連付けられたオブジェクト終端識別子とを取り出す。続いて、処理手段は、上記記憶手段に格納した表示制御情報から、当該取り出したオブジェクト始端識別子及びオブジェクト終端識別子によって挟まれる部分をオブジェクトとして抽出し前記記憶手段に格納する。
【０００９】
ここで、オブジェクトとは、Ｗｅｂページの表示制御情報の一部であって、Ｗｅｂページに表示される実体の最小構成単位をいう。オブジェクトとしては、例えば、＜ｉｍｇ＞タグで表される図のオブジェクト、＜ｔａｂｌｅ＞タグで表される表のオブジェクト、＜ａ＞タグで表されるハイパーリンクを有する文字のオブジェクト等が該当する。
【００１０】
請求項２記載の発明は、情報の記憶手段、情報の入力手段、情報提供システムとの通信手段、及びこれら各手段の動作を制御する処理手段を備えた端末装置に用いられるオブジェクトカッタープログラムである。記憶手段は、情報提供システムが提供するＷｅｂページの表示制御情報において、オブジェクトの始端を識別するオブジェクト始端識別子と、オブジェクトの終端を識別するオブジェクト終端識別子とを関連付けて予め格納した標準オブジェクトデータベースを備えている。また、記憶手段は、オブジェクト始端識別子と、オブジェクト終端識別子と、これらの組合せに関連付けられ、かつ、Ｗｅｂページ識別子を抽出する部分を識別する抽出部識別子とを予め格納したＷｅｂページ識別子抽出条件データベースを備えている。そして、処理手段は、入力手段から、情報提供システムが提供するＷｅｂページを識別するＷｅｂページ識別子と、検索条件とを受付ける。続いて、処理手段は、受付けたＷｅｂページ識別子に対応するＷｅｂページの表示制御情報を、通信手段を介して情報提供システムから受信すると共に、記憶手段に格納する。次に、処理手段は、記憶手段からＷｅｂページの表示制御情報を取り出すと共に、Ｗｅｂページ識別子抽出条件データベースを参照して、オブジェクト始端識別子と、オブジェクト終端識別子と、これらの組合せに関連付けられた抽出部識別子とを取り出す。続いて、処理手段は、取り出した表示制御情報から、取り出したオブジェクト始端識別子及びオブジェクト終端識別子によって挟まれる部分を特定すると共に、取り出した抽出部識別子に基づいて、特定した部分からリンク先ＷｅｂページのＷｅｂページ識別子を抽出する。そして、処理手段は、抽出したＷｅｂページ識別子に対応するＷｅｂページの表示制御情報を、通信手段を介して情報提供システムから受信すると共に、記憶手段に格納する。次に、処理手段は、標準オブジェクトデータベースを参照して、オブジェクト始端識別子と、当該オブジェクト始端識別子に関連付けられたオブジェクト終端識別子とを取り出す。続いて、処理手段は、上記記憶手段に格納した表示制御情報から、当該取り出したオブジェクト始端識別子及びオブジェクト終端識別子によって挟まれる部分であって、受付けた検索条件を満たすものをオブジェクトとして抽出し記憶手段に格納する。
【発明の効果】
【００１１】
これによると、処理手段が、入力手段から受付けたＷｅｂページ識別子に対応するＷｅｂページの表示制御情報から、リンク先ＷｅｂページのＷｅｂページ識別子を抽出して、当該抽出したＷｅｂページ識別子に対応するＷｅｂページの表示制御情報を情報提供システムから受信するので、所定のＷｅｂページ及び当該Ｗｅｂページのハイパーリンクによって導かれるリンク先Ｗｅｂページから、オブジェクトを抽出する場合に、リンク先Ｗｅｂページに対応するＷｅｂページ識別子をそれぞれ入力しなくても、オブジェクトを抽出することができるという従来にない優れたオブジェクトカッタープログラムを提供することができる。
【発明を実施するための最良の形態】
【００１２】
以下、図面を参照しながら、本発明の実施形態について説明する。
【００１３】
図１は、本実施形態のシステムの全体構成を示すブロック図である。インターネット３００に端末装置１００と、情報提供システムとしてのＷｅｂサーバ２００が接続されている。Ｗｅｂサーバ２００は、端末装置１００からの要求に基づいて、ＨＴＭＬ（Ｈｙｐｅｒ  Ｔｅｘｔ  Ｍａｒｋｕｐ  Ｌａｎｇｕａｇｅ）ファイル等の表示制御情報を、要求のあった端末装置１００に送信するようになっている。また、端末装置１００は、Ｗｅｂサーバ２００から受信した表示制御情報から、図、表等のオブジェクトを抽出するようになっている。ここで、Ｗｅｂサーバ２００は、端末装置１００の利用者とは別の第三者がコンテンツ等を提供するために、インターネット３００に接続したものであってもよい。また、本実施形態では、複数のＷｅｂサーバ２００がインターネット３００に接続されているが、これらのＷｅｂサーバ２００は、処理手段、記憶手段、及び通信手段を備えた一般的な構成を採っている。
【００１４】
図２は、本願のオブジェクトカッタープログラム１１０を適用する端末装置１００として一般的なＰＣ（Ｐｅｒｓｏｎａｌ  Ｃｏｍｐｕｔｅｒ）の構成を示している。バス１０１に対し、入力手段としてのキーボード１０６及びマウス１０７、表示手段としてのディスプレイ１０８、処理手段としてのＣＰＵ１０２、記憶手段としてのＲＡＭ１０３、ＲＯＭ１０４、及びＨＤＤ１０９（Ｈａｒｄ  Ｄｉｓｋ  Ｄｒｉｖｅ）、並びに通信手段としてのＮＩＣ１０５（Ｎｅｔｗｏｒｋ  Ｉｎｔｅｒｆａｃｅ  Ｃａｒｄ）が接続されている。Ｉ／Ｆはバス１０１と各種デバイスとのインターフェースを示している。ＨＤＤ１０９には、オブジェクトカッタープログラム１１０、標準オブジェクトデータベース１１１、Ｗｅｂページ識別子抽出条件データベース１１２等が記憶されている。端末装置１００のＣＰＵ１０２は、ＨＤＤ１０９に記憶されているオブジェクトカッタープログラム１１０をＲＡＭ１０３に読み出して実行することにより、標準オブジェクトデータベース１１１を参照して、Ｗｅｂサーバ２００から受信した表示制御情報からオブジェクトを抽出する機能等を提供するようになっている。また、端末装置１００のＣＰＵ１０２は、Ｗｅｂページ識別子抽出条件データベース１１２を参照して、Ｗｅｂサーバ２００から受信した表示制御情報からリンク先ＷｅｂページのＷｅｂページ識別子を抽出するようになっている。
【００１５】
図３は、端末装置１００のＨＤＤ１０９に格納されている標準オブジェクトデータベース１１１の構造を示している。本実施形態では、標準オブジェクトデータベース１１１に、オブジェクト始端識別子と、オブジェクト終端識別子とを関連付けて予め格納している。ここで、オブジェクト始端識別子とは、表示制御情報において、オブジェクトの始端を識別するものをいう。また、オブジェクト終端識別子とは、表示制御情報において、オブジェクトの終端を識別するものをいう。例えば、表のオブジェクトは「＜ｔａｂｌｅ」をオブジェクト始端識別子とし、「＜／ｔａｂｌｅ＞」をオブジェクト終端識別子としている。
【００１６】
図４は、端末装置１００のＨＤＤ１０９に格納されているＷｅｂページ識別子抽出条件データベース１１２の構造を示している。本実施形態では、Ｗｅｂページ識別子抽出条件データベース１１２に、オブジェクト始端識別子、オブジェクト終端識別子、及びこれらの組合せと関連付けられた抽出部識別子を予め格納している。ここで、オブジェクト始端識別子及びオブジェクト終端識別子については、標準オブジェクトデータベース１１１に格納しているものと同じである。抽出部識別子とは、オブジェクト始端識別子及びオブジェクト終端識別子によって特定されるオブジェクトから、リンク先ＷｅｂページのＷｅｂページ識別子を抽出する際に、抽出する部分を特定するものである。例えば、オブジェクト始端識別子、オブジェクト終端識別子、抽出部識別子が、それぞれ「＜ａ」、「＜／ａ＞」、「ｓｒｃ＝」の場合には、表示制御情報のうち、「＜ａ」と、「＜／ａ＞」とで挟まれる部分であって、かつ、「ｓｒｃ＝」の直後に記述されている部分が、リンク先ＷｅｂページのＷｅｂページ識別子であることを意味する。
【００１７】
次に、本実施形態の端末装置１００の動作について説明する。
【００１８】
図５は、端末装置１００のＣＰＵ１０２が、オブジェクトカッタープログラム１１０をＲＡＭ１０３に読み出して実行することにより行う処理を表すフローチャートである。
【００１９】
まず、端末装置１００のＣＰＵ１０２は、Ｗｅｂページ識別子としてのＵＲＬ（Ｕｎｉｆｏｒｍ  Ｒｅｓｏｕｒｃｅ  Ｌｏｃａｔｏｒ）と、検索条件としてのキーワードとを入力する画面をディスプレイ１０８に表示する（Ｓ１０）。図６は、入力画面６００の一例である。当該入力画面６００は、オブジェクトを抽出するＷｅｂページのＵＲＬを入力するＵＲＬ入力欄６０１と、抽出するオブジェクトのキーワードを入力するキーワード入力欄６０２と、ＯＫボタン６０３とを備えている。ここで、ユーザは、キーボード１０６から、ＵＲＬ入力欄６０１及びキーワード入力欄６０２に、それぞれＵＲＬと、キーワードとを入力するようになっている。
【００２０】
そして、端末装置１００のＣＰＵ１０２は、マウス１０７によりＯＫボタン６０３が押下されたことを契機として、ＵＲＬ入力欄６０１に入力されたＷｅｂページのＵＲＬと、キーワード入力欄６０２に入力されたキーワードとを受付ける（Ｓ１５）。
【００２１】
次に、端末装置１００のＣＰＵ１０２は、受付けたＷｅｂページのＵＲＬに基づいて、Ｗｅｂページの取得要求をＷｅｂサーバ２００に送信する。Ｗｅｂサーバ２００の処理手段は、受信したＷｅｂページの取得要求に基づいて、取得要求のあったＷｅｂページの表示制御情報を端末装置１００に送信する。図７は、端末装置１００が受信した表示制御情報としてのＨＴＭＬファイルの一例である。当該ＨＴＭＬファイル７００は、ハイパーリンクを有する文字のオブジェクトである「＜ａ  ｈｒｅｆ＝"ｈｔｔｐ：／／ｘｘｘ／ｓｕｂ−ｐａｇｅ１．ｈｔｍ"＞ＳＵＢ−ＰＡＧＥ１＜／ａ＞」７０１と、図のオブジェクトである「＜ｉｍｇ  ｓｒｃ＝"ｐｉｃｔｕｒｅ１．ｇｉｆ"＞」７０２とを備えている。そして、端末装置１００のＣＰＵ１０２は、受信した表示制御情報としてのＨＴＭＬファイル７００をＨＤＤ１０９に格納する（Ｓ２０）。
【００２２】
続いて、端末装置１００のＣＰＵ１０２は、ＨＤＤ１０９に格納したＨＴＭＬファイル７００から、リンク先ＷｅｂページのＵＲＬを次のように抽出する。
【００２３】
端末装置１００のＣＰＵ１０２は、Ｗｅｂページ識別子抽出条件データベース１１２を参照して、オブジェクト始端識別子、オブジェクト終端識別子、及びこれらの組合せに関連付けられた抽出部識別子を取り出す。続いて、端末装置１００のＣＰＵ１０２は、ＨＤＤ１０９に格納したＨＴＭＬファイル７００から、当該取り出したオブジェクト始端識別子と、オブジェクト終端識別子とで挟まれる部分であって、かつ、抽出部識別子の直後に記述されている部分を、リンク先ＷｅｂページのＵＲＬとして抽出する（Ｓ２５）。
【００２４】
例えば、図７のＨＴＭＬファイル７００の場合には、端末装置１００のＣＰＵ１０２は、次のようにしてリンク先ＷｅｂページのＵＲＬを抽出する。端末装置１００のＣＰＵ１０２は、Ｗｅｂページ識別子抽出条件データベース１１２を参照して、オブジェクト始端識別子として「＜ａ」、オブジェクト終端識別子として「＜／ａ＞」、これらの組合せに関連付けられた抽出部識別子として「ｓｒｃ＝」を取り出す。続いて、端末装置１００のＣＰＵ１０２は、図７のＨＴＭＬファイル７００から、「＜ａ」と、「＜／ａ＞」とで挟まれる部分であって、かつ、「ｓｒｃ＝」の直後に記述されている部分である「"ｈｔｔｐ：／／ｘｘｘ／ｓｕｂ−ｐａｇｅ１．ｈｔｍ"」を、リンク先ＷｅｂページのＵＲＬとして抽出する。
【００２５】
そして、端末装置１００のＣＰＵ１０２は、当該抽出したＵＲＬに基づいて、リンク先Ｗｅｂページの取得要求をＷｅｂサーバ２００に送信する。続いて、Ｗｅｂサーバ２００の処理手段は、受信したリンク先Ｗｅｂページの取得要求に基づいて、取得要求のあったＷｅｂページのＨＴＭＬファイルを端末装置１００に送信する。図８は、端末装置１００が受信したリンク先ＷｅｂページのＨＴＭＬファイル８００の一例である。当該ＨＴＭＬファイル８００は、図のオブジェクトである「＜ｉｍｇ  ｓｒｃ＝"ｐｉｃｔｕｒｅ２．ｇｉｆ"＞」を備えている。そして、端末装置１００のＣＰＵ１０２は、受信した表示制御情報としてのＨＴＭＬファイル８００をＨＤＤ１０９に格納する（Ｓ３０）。
【００２６】
以上により、端末装置１００のＣＰＵ１０２は、入力画面６００において、キーボード１０６から入力されたＵＲＬに対応するＷｅｂページのＨＴＭＬファイル７００と、当該Ｗｅｂページのハイパーリンクから導かれるリンク先ＷｅｂページのＨＴＭＬファイル８００とをＨＤＤ１０９に格納する。ここで、本実施形態では、端末装置１００のＣＰＵ１０２は、キーボード１０６から入力されたＵＲＬに対応するＷｅｂページの表示制御情報と、当該Ｗｅｂページのハイパーリンクから導かれるリンク先Ｗｅｂページの表示制御情報のみをＷｅｂサーバ２００から受信してＨＤＤ１０９に格納しているが、上記の手法により、当該リンク先Ｗｅｂページのハイパーリンクから更に導かれるＷｅｂページのＷｅｂページ識別子を抽出して、当該Ｗｅｂページ識別子に対応するＷｅｂページの表示制御情報をＷｅｂサーバ２００から受信してＨＤＤ１０９に格納するようにしてもよい。
【００２７】
次に、端末装置１００のＣＰＵ１０２は、標準オブジェクトデータベース１１１を参照して、オブジェクト始端識別子と、当該オブジェクト始端識別子に関連付けられたオブジェクト終端識別子とを取り出す。そして、端末装置１００のＣＰＵ１０２は、ＨＤＤ１０９に格納したＨＴＭＬファイルから、取り出したオブジェクト始端識別子と、オブジェクト終端識別子とで挟まれた部分であって、かつ、入力画面６００において、キーボード１０６から入力されたキーワードを含むものを、検索条件を満たすオブジェクトとして抽出する（Ｓ３５）。続いて、端末装置１００のＣＰＵ１０２は、抽出したオブジェクトを記憶手段に格納する。
【００２８】
例えば、入力画面６００において、キーワード入力欄６０２に入力されたキーワードが「ｇｉｆ」の場合には、端末装置１００のＣＰＵ１０２は、ＨＤＤ１０９に格納した図７、図８のＨＴＭＬファイルから、＜ｉｍｇ  ｓｒｃ＝"ｐｉｃｔｕｒｅ１．ｇｉｆ"＞と、＜ｉｍｇ  ｓｒｃ＝"ｐｉｃｔｕｒｅ２．ｇｉｆ"＞とを、検索条件を満たすオブジェクトとして抽出し、ＨＤＤ１０９に格納する。図９は、端末装置１００のＣＰＵ１０２が、検索条件を満たすオブジェクトをＨＤＤ１０９に格納している状態を示す一例である。
【００２９】
以上により、所定のＷｅｂページ及び当該Ｗｅｂページのハイパーリンクによって導かれるリンク先Ｗｅｂページの表示制御情報から、オブジェクトを抽出する場合に、リンク先Ｗｅｂページに対応するＷｅｂページ識別子をそれぞれ入力しなくても、オブジェクトを抽出することができる。
【００３０】
そして、ＨＤＤ１０９に格納したオブジェクトは次のように利用することができる。
【００３１】
端末装置１００のＣＰＵ１０２は、格納したオブジェクトに対応する、図、表などの表示上の実体と、当該オブジェクトに関連付けられたボタンとをディスプレイ１０８に表示する。続いて、端末装置１００のＣＰＵ１０２は、マウス１０７により上記ボタンが押下されたことを契機として、押下されたボタンに関連付けられたオブジェクトを新規Ｗｅｂページの表示制御情報に追加して、新たなＷｅｂページを作成することができる。
【図面の簡単な説明】
【００３２】
【図１】システムの全体構成を示すブロック図である。
【図２】端末装置の構成を示すブロック図である。
【図３】標準オブジェクトデータベースの構造図である。
【図４】Ｗｅｂページ識別子抽出条件データベースの構造図である。
【図５】端末装置の処理を示すフローチャートである。
【図６】入力画面の一例を示す図である。
【図７】ＨＴＭＬファイル（表示制御情報）の一例を示す図である。
【図８】リンク先ＷｅｂページのＨＴＭＬファイル（表示制御情報）の一例を示す図である。
【図９】検索条件を満たすオブジェクトの一例を示す図である。
【符号の説明】
【００３３】
１００  端末装置
１０１  バス
１０２  ＣＰＵ（処理手段）
１０３  ＲＡＭ（記憶手段）
１０４  ＲＯＭ（記憶手段）
１０５  ＮＩＣ（通信手段）
１０６  キーボード（入力手段）
１０７  マウス（入力手段）
１０８  ディスプレイ（表示手段）
１０９  ＨＤＤ（記憶手段）
１１０  オブジェクトカッタープログラム
１１１  標準オブジェクトデータベース
１１２  Ｗｅｂページ識別子抽出条件データベース
２００  Ｗｅｂサーバ（情報提供システム）
３００  インターネット
６００  入力画面
７００  ＨＴＭＬファイル（表示制御情報）
８００  リンク先ＷｅｂページのＨＴＭＬファイル
【図１】
2005149156.tif 000003
【図２】
2005149156.tif 000004
【図３】
2005149156.tif 000005
【図４】
2005149156.tif 000006
【図５】
2005149156.tif 000007
【図６】
2005149156.tif 000008
【図７】
2005149156.tif 000009
【図８】
2005149156.tif 000010
【図９】
2005149156.tif 000011